(57)【特許請求の範囲】
【請求項１】
床下地面に設置されるベース部と、ベース部から立設されると共に外周に雄ねじが刻設された支柱部と、支柱部に取着される取着部及び床パネルが載置される載置部を有する支持部とを備えた床パネル支持具において、支持部に角筒状のストリンガーを取り付けるストリンガー取り付け部を設け、ストリンガー取り付け部を、支持部から立設して且つストリンガーの底面に設けた開口からストリンガー内方に収容される係止舌片と、係止舌片の両側に設けて且つストリンガーの開口の両側の側面に設けた切欠部に嵌合する係合片とで構成し、係止舌片をストリンガーの内側面間の間隔に略一致する幅を有して形成し、係合片を切欠部の長さと略等しい長さに形成したことを特徴とする床パネル支持具。
【発明の詳細な説明】
【０００１】
【発明の属する技術分野】
本発明は建物の床下地上に所定高さで二重床用の床パネルを支持して二重床を形成するとき用いる床パネル支持具の構造に関するものがある。
【０００２】
【従来の技術及び発明が解決しようとする課題】
この種の従来例としては、本特許出願人が先に出願した特許第２８０７１７４号に開示されるものがある。これは床下地面に設置されるベース部と、ベース部から立設されると共に外周に雄ねじが刻設された支柱部と、支柱部に取着される取着部及び床パネルが載置される載置部を有する支持部とを備えている。支持部の取着部は支柱部の外径よりやや径の大きい挿通穴を有しており、支柱部に挿通穴を挿通して支持部を上下動自在にしてあり、また支柱部の雄ねじにはナットを螺合してあり、高さ調整したナットの上に支持部の取着部を載せて支持部を所定高さに支持するようになっている。
【０００３】
ところが上記従来例のものではナットを操作して支持部の高さを調整することにより床パネルの高さを調整するために床パネルの高さ調整に手間がかかるという問題がある。すなわち、支持部そのものでなく、ナットで高さ調整するものであるため正確な調整がしづらい。またナット操作時、支持部が邪魔になったりすることがあり、場合によっては支持部を外して操作する必要がある。
【０００４】
また支柱部に支持部を取り付けるとき、挿通穴を支柱部に挿通している支持部を上下動自在に取り付けるために挿通穴の内面と支持部の外面との間にクリアランスがあるためにがたつきがあり、これにより耐荷重性能が低下するという問題がある。
【０００５】
また床パネルを取り付けるとき断面略逆Ｕ字状のストリンガーを架設するが、ストリンガーの端部を支持部に支持するとき、支持部に設けた嵌合突起にストリンガーの端部を被嵌し、鋼板製のストリンガーの弾性で固定するようになっている。かかる構造ではストリンガーの取り付けは容易であるが、ストリンガーの弾性で固定されているため取り外しがしにくいという問題がある。またストリンガーを取り外すとき支持部と一体となって支柱部から外れてしまうため、ナットがフリーになり、レベルが狂う場合がある。また床の施工手順は、床の敷設後に配線工事を行うため、ストリンガーを外すケースがある。このとき、ストリンガーの着脱を行う度にレベルが変わると工事スピードダウンとなる。また床工事と電気工事とは工事者が異なるため、床レベル再調整が必要な場合が発生したら、再度床工事業者を手配することになり、２度手間となるという問題がある。
【０００６】
また上記従来例では支持部に床パネルを載せるとき支持部に設けたゴムクッション上に床パネルを載せる構造であるため、床パネル上面からベース部までのアースを取ることができない。
【０００７】
本発明は叙述の点に鑑みてなされたものであって、総じて使い勝手のよい床パネル支持具を提供することを課題とするものである。
【００１３】
【課題を解決するための手段】
上記課題を解決するため本発明の請求項１の床パネル支持具は、床下地面に設置されるベース部１と、ベース部１から立設されると共に外周に雄ねじ２が刻設された支柱部３と、支柱部３に取着される取着部４及び床パネル５が載置される載置部６を有する支持部７とを備え、支持部３に角筒状のストリンガー１０を取り付けるストリンガー取り付け部２２を設け、ストリンガー取り付け部２２を、支持部３から立設して且つストリンガー１０の底面に設けた開口２０からストリンガー１０内方に収容される係止舌片１１と、係止舌片１１の両側に設けて且つストリンガー１０の開口２０の両側の側面に設けた切欠部１２に嵌合する係合片１３とで構成し、係止舌片１１をストリンガー１０の内側面間の間隔ｂに略一致する幅ｂ´を有して形成し、係合片１３を切欠部１２の長さａと略等しい長さａ´に形成したことを特徴とする。これにより幅方向にも長手方向にもストリンガー１０ががたつかないように取付けることができる。
【００１６】
【発明の実施の形態】
本発明の床パネル支持具は、図１に示すようにベース部１、支柱部３及び支持部７にて主体が構成されている。ベース部１は図２に示すように略正方形状であり、金属板等で形成されている。ベース部１にはベース部１の中心と同心状に環状のリブ１６を設けてあり、ベース部１にはベース部１を床下地に固定するために固着具を打入する固定穴１７を多数穿孔してある。このベース部１の中心には支柱部３を垂直方向に立設してあり、支柱部３の外周には上下に亙るように雄ねじ２を形成してある。この支柱部３は金属で円柱状に形成されている。この支柱部３の雄ねじ２には六角ナットのようなナット部材８とを螺合してある。このナット部材８の上面側には図５に示すようにナット部材８の中心と同心状に円形の凹部１８を設けてある。
【００１７】
支持部７は図３、図４に示すように略正方形状の基盤１９に取着部４や載置部６を設けてあり、アルミニウムのダイキャスト等にて形成されている。基盤１９の中央には軸方向が上下方向を向く円筒状の取着部４を設けてあり、取着部４内には雌ねじ２０を設けてあり、雌ねじ２０を支柱部３の雄ねじ２に螺合させて取着部４を支柱部３に装着してある。そして支持部７を回転することで雄ねじ２に対して雌ねじ２０を螺動させて支持部７の高さを調整できるようになっている。この取着部４の上方に筒状の取着部４に連続するように筒状の当接部９を上方に突設してある。この筒状の当接部９の上端は開放されているが、上端には後述するようにキャップ９ａを着脱自在に装着できるようになっている。
【００１８】
取着部４の下端には上記ナット部材８の凹部１８に嵌り込み得る円形の凸部２１を設けてあるが、この円形の凸部２１は基盤１９の中心に対して偏心させて設けてある。基盤１９の上面には４辺の各辺の中央に位置するように４箇所にストリンガー取り付け部２２を設けてあり、このストリンガー取り付け部２２は係止舌片１１と係合片１３とで構成されている。基盤１９の上面のストリンガー取り付け部２２間には上下に貫通する取り付け穴２３を設けてあり、また上面に突出するように接触突部１５を設けてある。
【００１９】
そして二重床のような床を施工する場合、次のように行われる。床スラブのような床下地にベース部１が載置され、ベース部１が固着具で床下地に固定され、支持部７を回転して雌ねじ２０を雄ねじ２に対して螺動させることにより支持部７の高さが調整され、ナット部材８を締め付けることにより支持部７が固定される。ストリンガー１０の端部はストリンガー取り付け部２２に取り付けられ、金属等で形成せる床パネル５の鍔部５ａがストリンガー１０に載せられると共に床パネル５の端部が載置部６に載置される。
【００２０】
上記のように床パネル５を施工するとき、支持部７の高さを調整して床パネル５の高さを調整することができるが、支持部７を回転して取着部４の雌ねじ２０を雄ねじ２に対して螺動させて支持部７の高さを調整するために従来に比べて容易に高さ調整ができる。
【００２１】
また支持部７の取着部３の雌ねじ２０に支柱部３の雄ねじ２を螺合しているため支持部７ががたつくことなく耐荷重性を向上できる。従来は支持部７の取着部４の挿通穴と支柱部１との間にクリアランスがあって支持部７が傾くおそれがあると共に床パネル５の鍔部５ａが図６（ａ）の斜線で示す中央位置に支持されているために耐荷重性が悪い。つまり、従来の支持部７は上記クリアラランスにより自由度があったため図６（ｂ）のように荷重Ｆをかけて荷重試験するとき、撓み量δは床パネル５の撓み量と支持部７の傾きの合計となるので撓み量が大きくなる。また図６（ａ）のように支持するためにスパンＬ1が支柱部３の芯間となるのでスパンも大きくなり、δ＝ＷＬ3／ＥＩの計算式から考えると撓み量が不利な方向となり、撓み量δ1が大きくなり、耐荷重性が劣る。これに対して本発明では支持部７が傾くという自由度をなくして撓み量を少なくし、また図７（ａ）に示すように床パネル５を支持部７の中心から離れた斜線の部分に支持することでスパンＬ2を小さくしたため、本発明の撓み量δ2は小さくなり、耐荷重性が優れる。
【００２２】
また支持部７を回転操作して支持部７の高さ調整をした後にナット部材８を締め付けることで支持部７が上下しないように固定することができる。ナット部材８を締め付けたときナット部材８の凹部１８に支持部７の凸部２１が図８に示すように嵌合し、また支柱部３の芯に対してｅの偏心量だけ偏心した凸部２１の外周面に凹部１８の内面が摩擦により止まることでナット部材８が固定され、ナット部材８が緩むことがない。
【００２３】
また床パネル２が支持部７の基盤１９の載置部６に載せて支持され、鍔部５ａが支柱部３の真上の当接部９上に隙間Ｓを介して対応しているが、荷重を受けた場合、図９のように動作する。図９で２５は所定の荷重をかける荷重子を示す。つまり、図９（ａ）の状態から荷重を受けると、鍔部５ａが当接部９に当接して荷重が当接部９に受けられて荷重を支柱部３の芯に分担させることができ、細い支柱部３や薄い支持部７でも規定の荷重に耐え得る構造にできる。
【００２４】
また床パネル２を取り付けるとき、図１０（ａ）に示すように当接部９の上に隙間Ｓを形成してあるが、これは図１０（ｂ）に示すように鍔部５ａにＣトリム２６を取り付ける時の厚さを考慮しているためである。
【００２５】
支持部７の基盤１９にはストリンガー取り付け部２２を設けてあるが、このストリンガー取り付け部２２には上方に垂直に突出する係止舌片１１と、係止舌片１１の両側に設けた係合片１３とで構成されている。ストリンガー１０は角筒状に形成されており、ストリンガー取り付け部２２に取り付ける部分でストリンガー１０の底面に開口２７が設けてあり、開口２７の両側でストリンガー１０の側面に切欠部１２を設けてある。ストリンガー取り付け部２２にストリンガー１０の端部を取り付けるとき、係止舌片１１が開口２７からストリンガー１０内に入ると共に両側の係合片１３が切欠部１２に嵌合するように取り付けられる。このようにストリンガー１０が取り付けられることによりストリンガー１０が容易に着脱自在になるように取り付けられる。また上記係止舌片１１の高さｈはストリンガー１０の高さＨの１／２以上になっており（ｈ＞Ｈ／２）、容易にストリンガー１０が着脱できると共に確実に固定できる。またストリンガー１０の両側の内面間の間隔ｂと係止舌片１１の幅ｂ′とが略等しくしてあり、切欠部１２の長さａと係合片１３の長さａ′とは略等しくしてあり、これにより幅方向にも長手方向にもストリンガー１０ががたつかないように取り付けることができる。またストリンガー１０及び支持部３には最終的にビス止めする固定穴２８，２９を設けてあるが、上記のように取り付けことで固定穴２８と固定穴２９の位置を容易に合わせることができる。
【００２６】
また支持部７の基盤１９の載置部６に床パネル２を載せて支持するときゴム等の緩衝材１４を介して支持されるが、図１２に示すように基盤１９に設けた接触突部１５が緩衝材１４の上面上に突出して床パネル５に接触するようになっている。このようにすることで接触突部１５でアース機能を持たせることができ、電気絶縁性のある緩衝材１４が配設されても接地をとることができる。
【００２７】
上記のように雌ねじ２０のある取着部４の真上に当接部９を設けるが、当接部９が筒状に形成されているために当接部９を設けても支持部７をアルミニウムダイキャスト等で成形するときの成形が容易にできる。また当接部９が筒状であっても、図１３に示すように当接部９の上端の開口にキャップ９ａを被着してあるために当接部９の開口から埃等の異物の侵入による取着部４と支柱部３との間の螺合不具合を防止することができる。
【００３３】
【発明の効果】
本発明の請求項１の発明は、床下地面に設置されるベース部と、ベース部から立設されると共に外周に雄ねじが刻設された支柱部と、支柱部に取着される取着部及び床パネルが載置される載置部を有する支持部とを備え、支持部に角筒状のストリンガーを取り付けるストリンガー取り付け部を設け、ストリンガー取り付け部を、支持部から立設して且つストリンガーの底面に設けた開口からストリンガー内方に収容される係止舌片と、係止舌片の両側に設けて且つストリンガーの開口の両側の側面に設けた切欠部に嵌合する係合片とで構成し、係止舌片をストリンガーの内側面間の間隔に略一致する幅を有して形成し、係合片を切欠部の長さと略等しい長さに形成したので、幅方向にも長手方向にもストリンガーががたつかないように取付けることができる。
【図面の簡単な説明】
【図１】本発明の実施の形態の一例の床パネル支持具を示し、（ａ）は平面図、（ｂ）は正面から見た半断面図、（ｃ）は底面図である。
【図２】同上のベース部と支柱部を示し、（ａ）は斜視図、（ｂ）は正面から見た半断面図、（ｃ）は底面図である。
【図３】同上の支持部を示し、（ａ）は平面図、（ｂ）は正面図、（ｃ）は底面図である。
【図４】（ａ）は図３（ａ）のＸ−Ｘ線断面図、（ｂ）は図３（ａ）のＹ方向から見た半断面図である。
【図５】同上のナット部材を示し、（ａ）は正面図、（ｂ）は左側面図、（ｃ）は右側面図、（ｄ）は断面図である。
【図６】（ａ）（ｂ）は従来例の問題を説明する説明図である。
【図７】（ａ）（ｂ）は本発明の利点を説明する説明図である。
【図８】（ａ）は同上のナット部材を締め付けた状態を示す一部切欠正面図、（ｂ）は（ａ）の要部を拡大せる一部切欠正面図である。
【図９】（ａ）（ｂ）は当接部で荷重を受ける状態を説明する説明図である。
【図１０】（ａ）（ｂ）は同上の支持部の当接部と床パネルとの間の隙間について説明する説明図である。
【図１１】同上のストリンガーの取り付けを示し、（ａ）は一部切欠正面図、（ｂ）は要部の側面から見た断面図、（ｃ）は分解斜視図である。
【図１２】同上のアース機能を説明するもので、（ａ）は正面図、（ｂ）は支持部の平面図である。
【図１３】（ａ）は同上の支持部の当接部にキャップを装着した状態の一部切欠正面図、（ｂ）はキャップの斜視図である。
【符号の説明】
１  ベース部
２  雄ねじ
３  支柱部
４  取着部
５  床パネル
５ａ  鍔部
６  載置部
７  支持部
８  ナット部材
９  当接部
１０  ストリンガー
１１  係止舌片
１２  切欠部
１３  係合片
１４  緩衝材
１５  接触突部
【図１】
0003777947.tif 000002
【図２】
0003777947.tif 000003
【図３】
0003777947.tif 000004
【図４】
0003777947.tif 000005
【図５】
0003777947.tif 000006
【図６】
0003777947.tif 000007
【図７】
0003777947.tif 000008
【図８】
0003777947.tif 000009
【図９】
0003777947.tif 000010
【図１０】
0003777947.tif 000011
【図１１】
0003777947.tif 000012
【図１２】
0003777947.tif 000013
【図１３】
0003777947.tif 000014